【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
回路であって、
複数の電圧基準出力を有する電圧基準生成器と、ここにおいて、各電圧基準出力は、選択可能な電圧レベルを有する、
複数の一次電力コントローラと、ここにおいて、各一次電力コントローラは、前記電圧基準生成器の前記電圧基準出力のうちの１つから電圧基準レベルを受信するために接続され、各一次電力コントローラは、前記電圧基準レベルを基準とする出力電圧を作り出すように電力段の動作を制御することができる切替器制御信号を生成するように動作する、
前記電圧基準生成器から第１の電圧基準出力を受信するために接続された第１の入力、外部から提供された電圧レベルへの接続のための第２の入力、および第１の一次電力コントローラに接続された電圧基準出力を有するセレクタ回路と、ここにおいて、前記第１の一次電力コントローラは、前記第１の電圧基準出力または前記外部から提供された電圧レベルを選択的に基準とすることができる、
を備え、
複数の第二次電力コントローラと、ここにおいて、各二次電力コントローラは、前記一次電力コントローラのうちの１つに関連付けられ、各二次電力コントローラは、前記各二次電力コントローラに関連付けられた前記一次電力コントローラの前記電圧基準レベルを基準とする出力電圧を選択可能なスルーレートで作り出すように負荷スイッチを制御することができる負荷スイッチ制御信号を生成するように動作する、
をさらに備える、
回路。
【請求項２】
メモリをさらに備え、ここにおいて、前記セレクタ回路は、前記メモリからデータを受信することができるセレクタ入力をさらに備える、請求項１に記載の回路。
【請求項３】
通信ポートをさらに備え、ここにおいて、前記セレクタ回路は、前記通信ポートからデータを受信することができるセレクタ入力をさらに備える、請求項１に記載の回路。
【請求項４】
スルー信号を作り出すように動作するスルーレートコントローラをさらに備え、各２次電力コントローラは、前記負荷スイッチ制御信号を作り出すように、前記スルー信号に選択的に接続され、前記スルー信号によって制御されるドライバを備える、請求項１に記載の回路。
【請求項５】
前記ドライバは、前記負荷スイッチ制御信号を作り出すように定電圧電位によってさらに選択的に制御される、請求項４に記載の回路。
【請求項６】
前記スルーレートコントローラの動作周波数を制御するクロック信号をさらに備え、前記クロック信号は、前記スルーレートコントローラに接続される前記第２の電力コントローラに依存して選択可能である、請求項４に記載の回路。
【請求項７】
前記一次電力コントローラのうちの１つと各二次電力コントローラとの間の関連性を示す関連データを記憶するメモリをさらに備える、請求項１に記載の回路。
【請求項８】
負荷スイッチ制御信号を生成するために、選択可能な順序に従って、前記二次電力コントローラをイネーブルにするための制御信号を作り出すように動作する制御論理をさらに備える、請求項１に記載の回路。
【請求項９】
前記制御論理は、イネーブルな二次電力コントローラに関連付けられた前記スルーレートを制御するクロック信号を作り出すようにさらに動作する、請求項８に記載の回路。
【請求項１０】
前記二次電力コントローラのうちの１つによって制御される負荷スイッチは、前記二次電力コントローラのうちの前記１つに関連付けられた前記一次電力コントローラによって制御される電力段に接続される、請求項１に記載の回路。
【請求項１１】
集積回路デバイスであって、
複数のそれぞれの電源の動作を制御するための複数の一次電力制御信号を生成するための第１の回路手段と、
前記電源に接続された複数のそれぞれの負荷スイッチの動作を制御するための複数の負荷スイッチ制御信号を生成するための第２の回路手段と、
スルーレート制御信号を生成するための第３の回路手段と、前記第２の回路手段は、前記スルーレート制御信号を使用して負荷スイッチ制御信号を生成するための前記第３の回路手段の出力に選択的に接続するための接続手段を含む、
前記第１の回路手段が、各電源を高電圧モードで動作しているか、または低電圧モードで動作しているかを示す前記各電源に関連付けられたモードインジケータと、
電源と負荷スイッチとの間の関連性を示す関連情報とを記憶するための第４の回路手段と
内部で生成された基準電圧レベルまたは外部から提供された電圧レベルから選択するための第５の回路手段と、
を備え、ここにおいて、第１の一次電力制御信号は、前記第５の回路手段によって選択された電圧レベルに基づいて生成される、
集積回路デバイス。
【請求項１２】
前記第３の回路手段は、第１の負荷スイッチに関連付けられた前記電源の前記モードインジケータに基づいて決定されたレートで前記第１の負荷スイッチの出力をスルーするための前記第１の負荷スイッチについてのスルーレート制御信号を生成する、請求項１１に記載の集積回路。
【請求項１３】
前記第１の回路手段は、複数の一次電力コントローラ回路を備え、各一次電力コントローラ回路は、対応する一次電力制御信号を生成する、請求項１１に記載の集積回路。
【請求項１４】
回路における方法であって、
複数の電源に関連付けられた複数の基準電圧レベルを示す構成データを前記回路に記憶することと、
対応する電圧レベルを出力するように、それらの対応する基準電圧レベルに従って前記電源を動作するための複数の一次制御信号を前記回路内で生成することと、
一次電源に接続された負荷スイッチを動作するための複数の二次制御信号を前記回路内で生成することと、ここにおいて、前記二次制御信号は、前記各負荷回路が接続される前記一次電源に対応する前記回路に記憶された前記基準電圧レベルに従って、各負荷スイッチのスルーレートを制御する、
を備え、
ここにおいて、第１の一次制御信号を生成することは、前記第１の一次制御信号を生成するために、内部で生成された基準電圧レベルおよび外部から提供された電圧レベルから選択することを含む、
方法。
【手続補正２】
【補正対象書類名】明細書
【補正対象項目名】００８８
【補正方法】変更
【補正の内容】
【００８８】
[0098]  下記に特許請求の範囲が記載される。
以下に、本願出願の当初の特許請求の範囲に記載された発明を付記する。
[Ｃ１]
回路であって、
複数の電圧基準出力を有する電圧基準生成器と、ここにおいて、各電圧基準出力は、選択可能な電圧レベルを有する、
複数の一次電力コントローラと、ここにおいて、各一次電力コントローラは、前記電圧基準生成器の前記電圧基準出力のうちの１つから電圧基準レベルを受信するために接続され、各一次電力コントローラは、前記電圧基準レベルを基準とする出力電圧を作り出すように電力段の動作を制御することができる切替器制御信号を生成するように動作する、
前記電圧基準生成器から第１の電圧基準出力を受信するために接続された第１の入力、外部から提供された電圧レベルへの接続のための第２の入力、および第１の一次電力コントローラに接続された電圧基準出力を有するセレクタ回路と、を備え、ここにおいて、前記第１の一次電力コントローラは、前記第１の電圧基準出力または前記外部から提供された電圧レベルを選択的に基準とすることができる、回路。
[Ｃ２]
メモリをさらに備え、ここにおいて、前記セレクタ回路は、前記メモリからデータを受信することができるセレクタ入力をさらに備える、Ｃ１に記載の回路。
[Ｃ３]
通信ポートをさらに備え、ここにおいて、前記セレクタ回路は、前記通信ポートからデータを受信することができるセレクタ入力をさらに備える、Ｃ１に記載の回路。
[Ｃ４]
複数の二次電力コントローラをさらに備え、各二次電力コントローラは、前記一次電力コントローラのうちの１つに関連付けられ、各二次電力コントローラは、前記各二次電力コントローラに関連付けられた前記一次電力コントローラの前記電圧基準レベルを基準とする出力電圧を選択可能なスルーレートで作り出すように負荷スイッチを制御することができる負荷スイッチ制御信号を生成するように動作する、Ｃ１に記載の回路。
[Ｃ５]
スルー信号を作り出すように動作するスルーレートコントローラをさらに備え、各第２の電力コントローラは、前記負荷スイッチ制御信号を作り出すように、前記スルー信号に選択的に接続され、前記スルー信号によって制御されるドライバを備える、Ｃ４に記載の回路。
[Ｃ６]
前記ドライバは、前記負荷スイッチ制御信号を作り出すように定電圧電位によってさらに選択的に制御される、Ｃ５に記載の回路。
[Ｃ７]
前記スルーレートコントローラの動作周波数を制御するクロック信号をさらに備え、前記クロック信号は、前記スルーレートコントローラに接続される前記第２の電力コントローラに依存して選択可能である、Ｃ５に記載の回路。
[Ｃ８]
前記一次電力コントローラのうちの１つと各二次電力コントローラとの間の関連性を示す関連データを記憶するメモリをさらに備える、Ｃ４に記載の回路。
[Ｃ９]
負荷スイッチ制御信号を生成するために、選択可能な順序に従って、前記二次電力コントローラをイネーブルにするための制御信号を作り出すように動作する制御論理をさらに備える、Ｃ４に記載の回路。
[Ｃ１０]
前記制御論理は、イネーブルな二次電力コントローラに関連付けられた前記スルーレートを制御するクロック信号を作り出すようにさらに動作する、Ｃ９に記載の回路。
[Ｃ１１]
前記二次電力コントローラのうちの１つによって制御される負荷スイッチは、前記二次電力コントローラのうちの前記１つに関連付けられた前記一次電力コントローラによって制御される電力段に接続される、Ｃ４に記載の回路。
[Ｃ１２]
集積回路デバイスであって、
複数のそれぞれの電源の動作を制御するための複数の一次電力制御信号を生成するための第１の回路手段と、
前記電源に接続された複数のそれぞれの負荷スイッチの動作を制御するための複数の負荷スイッチ制御信号を生成するための第２の回路手段と、
スルーレート制御信号を生成するための第３の回路手段と、前記第２の回路手段は、前記スルーレート制御信号を使用して負荷スイッチ制御信号を生成するための前記第３の回路手段の出力に選択的に接続するための接続手段を含む、
前記第１の回路手段が、各電源を高電圧モードで動作しているか、または低電圧モードで動作しているかを示す前記各電源に関連付けられたモードインジケータと、
電源と負荷スイッチとの間の関連性を示す関連情報とを記憶するための第４の回路手段と
内部で生成された基準電圧レベルまたは外部から提供された電圧レベルから選択するための第５の回路手段と、
を備え、ここにおいて、第１の一次電力制御信号は、前記第５の回路手段によって選択された電圧レベルに基づいて生成される、
集積回路デバイス。
[Ｃ１３]
前記第５の回路手段は、前記第４の回路手段に記憶されたデータに基づいて、前記内部で生成された基準電圧レベルおよび前記外部から提供された電圧レベルから選択する、Ｃ１２に記載の集積回路。
[Ｃ１４]
通信ポートをさらに備え、ここにおいて、前記第５の回路手段は、前記通信ポートから受信されたデータに基づいて、前記内部で生成された基準電圧レベルおよび前記外部から提供された電圧レベルから選択する、Ｃ１２に記載の集積回路。
[Ｃ１５]
前記第３の回路手段は、第１の負荷スイッチに関連付けられた前記電源の前記モードインジケータに基づいて決定されたレートで前記第１の負荷スイッチの出力をスルーするための前記第１の負荷スイッチについてのスルーレート制御信号を生成する、Ｃ１２に記載の集積回路。
[Ｃ１６]
前記第１の回路手段は、複数の一次電力コントローラ回路を備え、各一次電力コントローラ回路は、対応する一次電力制御信号を生成する、Ｃ１２に記載の集積回路。
[Ｃ１７]
前記第２の回路手段は、複数の制御回路を備え、各制御回路は、対応する負荷スイッチ制御信号を生成する、Ｃ１２に記載の集積回路。
[Ｃ１８]
基準電圧に従って出力電圧を作り出すように前記電源を制御するために前記第１の回路手段によって使用される前記基準電圧を生成するための電圧基準生成器をさらに備える、Ｃ１２に記載の集積回路。
[Ｃ１９]
前記負荷スイッチが接続される前記電圧基準生成器からの前記基準電圧に基づいて、不足電圧および過電圧の状態を検出するために、前記第２の回路手段によって制御される前記負荷スイッチの電圧レベルをモニタリングするためのモニタリング回路をさらに備える、Ｃ１８に記載の集積回路。
[Ｃ２０]
前記第４の回路手段は、各負荷スイッチに対応するスルーレートパラメータを記憶し、ここにおいて、前記第３の回路手段は、第１のスルーレート制御信号によって制御される前記負荷スイッチに対応する前記スルーレートパラメータを使用して、前記第１のスルーレート制御信号を生成する、Ｃ１２に記載の集積回路。
[Ｃ２１]
回路における方法であって、
複数の電源に関連付けられた複数の基準電圧レベルを示す構成データを前記回路に記憶することと、
対応する電圧レベルを出力するように、それらの対応する基準電圧レベルに従って前記電源を動作するための複数の一次制御信号を前記回路内で生成することと、
一次電源に接続された負荷スイッチを動作するための複数の二次制御信号を前記回路内で生成することと、ここにおいて、前記二次制御信号は、前記各負荷回路が接続される前記一次電源に対応する前記回路に記憶された前記基準電圧レベルに従って、各負荷スイッチのスルーレートを制御する、
を備え、
ここにおいて、第１の一次制御信号を生成することは、前記第１の一次制御信号を生成するために、内部で生成された基準電圧レベルおよび外部から提供された電圧レベルから選択することを含む、
方法。
[Ｃ２２]
前記一次制御信号を使用して、前記回路に接続された電源を制御することと、前記二次制御信号を使用して、前記回路に接続された負荷スイッチを制御することと、をさらに備える、Ｃ２１に記載の方法。
[Ｃ２３]
前記一次制御信号および前記二次制御信号が生成されるシーケンスを示す構成データを前記回路に記憶することをさらに備える、Ｃ２１に記載の方法。
[Ｃ２４]
前記負荷スイッチの出力電圧レベルをモニタリングすることと、前記記憶された基準電圧レベルと前記負荷スイッチの前記出力電圧レベルの比較に基づいて、不足電圧信号または過電圧信号をトリガするために前記回路に記憶された前記基準電圧レベルを使用することと、をさらに備える、Ｃ２１に記載の方法。